(57)【要約】  多種多様なＵＳＢデバイスについて高い保持力で装着状態を保持できるようにすることを目的とする。  制御装置（１）のポート（３）近傍には開閉扉（４）が設けられており、ＵＳＢメモリ（５０）の非装着時には閉鎖されてポート（３）を遮蔽しており、ＵＳＢメモリ（５０）の装着時には開放されてポート（３）を露出する。開閉扉（４）には把持機構（１００）が設けられている。この把持機構（１００）のスライドプレート（１０１）が、装着されたＵＳＢメモリ（５０）の筐体部（５２）を挟み込んで支持する。
2012060143.tif 000002
【特許請求の範囲】
【請求項１】
ＵＳＢデバイスが着脱される制御装置であって、
前記ＵＳＢデバイスのコネクタ部が挿入されるポートと、
前記ポートの近傍に開閉可能に設けられ、開放時には前記ポートを露出し、閉鎖時には前記ポートを遮蔽する開閉扉と、
前記開閉扉に設けられ、前記開閉扉の開放時に前記ＵＳＢデバイスの筐体部を把持する把持機構と、を備えている
ことを特徴とする制御装置。
【請求項２】
前記把持機構は、
前記ＵＳＢデバイスの前記筐体部を挟み込んで支持する少なくとも２つの挟持部材を前記開閉扉の内面に有しており、
前記挟持部材は、
前記内面の一方側及び他方側に配置された前記挟持部材同士が互いに遠近する方向に移動可能に設けられている
ことを特徴とする請求項１に記載の制御装置。
【請求項３】
前記把持機構は、
前記挟持部材同士の遠近方向の移動を操作するための操作部材を前記開閉扉の外面に有している
ことを特徴とする請求項２に記載の制御装置。
【請求項４】
前記把持機構は、
前記挟持部材の位置を、前記ＵＳＢデバイスの前記筐体部の大きさに対応した挟持位置に固定する位置固定手段を有している
ことを特徴とする請求項２又は３に記載の制御装置。
【請求項５】
前記把持機構は、
前記挟持部材を、前記開閉扉が閉鎖可能な予め定められた基準位置に戻すように付勢する第１付勢手段と、
前記第１付勢手段の付勢力により前記挟持部材を前記基準位置に戻すために、前記位置固定手段による固定を解除する固定解除手段と、を有している
ことを特徴とする請求項４に記載の制御装置。
【請求項６】
前記挟持部材は、
前記ＵＳＢデバイスの前記筐体部との接触部に弾性部材を設けている
ことを特徴とする請求項２乃至５のいずれか１項に記載の制御装置。
【請求項７】
前記把持機構は、
前記挟持部材を先端に備え、前記開閉扉に設けられた軸周りに回動可能な少なくとも２つのアーム部材を有しており、
前記挟持部材同士は、
前記アーム部材の回動動作により、互いに遠近する方向に移動する
ことを特徴とする請求項３に記載の制御装置。
【請求項８】
前記把持機構は、
前記軸に設けられ、前記挟持部材同士が近づく方向に前記アーム部材を回動させる第２付勢手段を有する
ことを特徴とする請求項７に記載の制御装置。
【請求項９】
前記操作部材は、
前記第２付勢手段による付勢力に抗し、前記挟持部材同士が遠ざかる方向に前記アーム部材を回動させる押しボタンである
ことを特徴とする請求項８に記載の制御装置。
【請求項１０】
前記挟持部材は、弾性材料で構成されている
ことを特徴とする請求項７乃至９のいずれか１項に記載の制御装置。
【請求項１１】
前記開閉扉は、
内面の少なくとも一部がメッキ処理されている
ことを特徴とする請求項１乃至１０のいずれか１項に記載の制御装置。
【請求項１２】
前記ＵＳＢデバイスは、
ＵＳＢメモリ又はＵＳＢケーブルである
ことを特徴とする請求項１乃至１１のいずれか１項に記載の制御装置。
【発明の詳細な説明】
【技術分野】
【０００１】
開示の実施形態は、ＵＳＢデバイスが着脱される制御装置に関する。
【背景技術】
【０００２】
ＵＳＢ（Ｕｎｉｖｅｒｓａｌ  Ｓｅｒｉａｌ  Ｂｕｓ）デバイスが装着され、当該ＵＳＢデバイスとの間でデータ転送を行う制御装置が知られている。ＵＳＢデバイスとしては多種多様な機器が存在するが、その使用に際し、着脱が頻繁に行われて装着時間が比較的短い場合と、装着時間が比較的長い場合がある。例えば、ＵＳＢデバイスの１つであるＵＳＢメモリが使用される場合、作業の都度着脱が行われ、装着時間が比較的短いのが一般的である。しかし、例えば作業管理等のために作業状況の記憶用として用いるような場合には、ＵＳＢメモリを長時間装着した状態に保持する必要がある。【０００３】
従来、ＵＳＢメモリを保持する手段として、例えば特許文献１及び２に記載のものが知られている。特許文献１では、ＵＳＢメモリをポートへ挿入後、回転することで固定する。また特許文献２では、ＵＳＢメモリを板材と共にポートに圧入することで、抜け防止が図られている。
【先行技術文献】
【特許文献】
【０００４】
【特許文献１】特開２００６−２９４２６０号公報
【特許文献２】特開２０１０−２１０７０号公報
【発明の概要】
【発明が解決しようとする課題】
【０００５】
上記従来技術には、以下のような問題が存在する。すなわち、特許文献１に記載の従来技術では、ＵＳＢメモリ自体が制御装置側と対応した形状となっている必要がある。このため、多種存在するＵＳＢメモリに適用することができず、汎用性に乏しかった。また特許文献２に記載の従来技術では、ＵＳＢメモリをコネクタに圧入するのみであり、保持する機構とはなっていないため、振動・衝撃等に対する耐力が十分であるとは言えなかった。【０００６】
そこで本発明は、多種多様なＵＳＢデバイスについて高い保持力で装着状態を保持することができる制御装置を提供することを目的とする。
【課題を解決するための手段】
【０００７】
上記課題を解決するため、本発明の一の観点によれば、ＵＳＢデバイスが着脱される制御装置であって、前記ＵＳＢデバイスのコネクタ部が挿入されるポートと、前記ポートの近傍に開閉可能に設けられ、開放時には前記ポートを露出し、閉鎖時には前記ポートを遮蔽する開閉扉と、前記開閉扉に設けられ、前記開閉扉の開放時に前記ＵＳＢデバイスの筐体部を把持する把持機構と、を備える制御装置が適用される。
【発明の効果】
【０００８】
本発明によれば、多種多様なＵＳＢデバイスについて高い保持力で装着状態を保持することができる。
【図面の簡単な説明】
【０００９】
【図１】第１実施形態に係る制御装置の外観構成を表す斜視図である。
【図２】第１実施形態に係る把持機構の詳細構造を説明するための、開閉扉を開放した状態の制御装置のポート部分を拡大した前面図及び側面図である。
【図３】操作部材の操作とスライドプレートの動作との関係を説明するための説明図である。
【図４】操作部材及び歯車部材の構造を表す側面図である。
【図５】開閉扉の内面構造を部分的に拡大して表す開閉扉の内面図である。
【図６】ブレーキ機能の構造を説明するために一部断面で表した、開閉扉を開放した状態の制御装置のポート部分を拡大した前面図である。
【図７】スライドプレート及び支持部材の全体構造を抽出して表す側面図である。
【図８】ブレーキ解除機能の構造を説明するために一部断面で表した、開閉扉の操作部材部分を拡大した側面図である。
【図９】メッキ処理を施した範囲について説明するための説明図である。
【図１０】ＵＳＢメモリの筐体部の幅がスライドプレートの基準幅よりも小さい場合の操作方法を説明するための説明図である。
【図１１】ＵＳＢメモリの筐体部の幅がスライドプレートの基準幅よりも大きい場合の操作方法を説明するための説明図である。
【図１２】第２実施形態に係る制御装置の外観構成を表す斜視図である。
【図１３】把持機構の詳細構造を説明するための、図１３（ｂ）におけるＸＩＩＩＡ−ＸＩＩＩＡによる把持機構の断面図、及び、筐体の一部を断面で表す把持機構の側面図である。
【図１４】開閉扉の開閉動作を説明するための説明図である。
【図１５】押しボタンの操作によるアーム部材の回動動作を説明するための、把持機構の断面図である。
【図１６】ＵＳＢメモリを着脱する際の操作方法を説明するための説明図である。
【図１７】把持機構により上下非対称形状のＵＳＢメモリを把持した状態を表す把持機構の断面図である。
【図１８】ＵＳＢケーブルを装着した状態の第１実施形態に係る制御装置の外観構成を表す斜視図である。
【図１９】ＵＳＢケーブルを装着した状態の第２実施形態に係る制御装置の外観構成を表す斜視図である。
【図２０】略Ｌ字状とした開閉扉の開閉動作を説明するための説明図である。
【発明を実施するための形態】
【００１０】
以下、実施形態について図面を参照しつつ説明する。
【００１１】
＜第１実施形態＞
まず、図１を参照しつつ、第１実施形態に係る制御装置の外観構成について説明する。制御装置１は、図示しない制御対象を制御する制御装置であり、例えばＰＬＣ（Ｐｒｏｇｒａｍｍａｂｌｅ  Ｌｏｇｉｃ  Ｃｏｎｔｒｏｌｌｅｒ）等のＦＡ（Ｆａｃｔｏｒｙ  Ａｕｔｏｍａｔｉｏｎ）機器である。制御装置１にはＵＳＢ（Ｕｎｉｖｅｒｓａｌ  Ｓｅｒｉａｌ  Ｂｕｓ）デバイスが着脱可能であり、装着されたＵＳＢデバイスとの間でＵＳＢ規格に基づくデータ転送が行われる。以下では、ＵＳＢデバイスの１つであるＵＳＢメモリ５０を装着する場合を一例として説明する。
【００１２】
図１に示すように、制御装置１の筐体２の一方側（図１中左下側）の面には、ＵＳＢメモリ５０のコネクタ部５１が挿入されるポート３が設けられている。以下、このポート３の設置側を制御装置１の前側として説明する。ポート３の前側近傍には、片側をヒンジ構造とした開閉扉４が開閉可能に設けられている。開閉扉４は、開放時には図１（ｂ）に示すようにポート３を露出し、閉鎖時には図１（ａ）に示すようにポート３を遮蔽する。通常、パソコン等のＯＡ（Ｏｆｆｉｃｅ  Ａｕｔｏｍａｔｉｏｎ）機器に配備されているＵＳＢポートは剥き出しの状態となっているが、特にＦＡ機器等の設置環境下においては、粉塵やオイルミスト等がポートに付着して電気的な短絡や通信障害等の要因になることが懸念される。このため、制御装置１では開閉扉４を設けることで、防塵対策を施している。
【００１３】
開閉扉４には、図１（ｃ）に示すように開閉扉４の開放時にＵＳＢメモリ５０の筐体部５２を把持する把持機構１００が設けられている。この把持機構１００は、図１（ａ）に示すように、後述するスライドプレート１０１の移動を操作するための操作部材１２０を開閉扉４の外面に有している。
【００１４】
次に、図２を参照しつつ、把持機構１００の詳細構造について説明する。図２に示すように、把持機構１００は、ＵＳＢメモリ５０の筐体部５２を両側より挟み込んで支持するための２つのスライドプレート１０１，１０１を有している。２つのスライドプレート１０１，１０１は、開閉扉４の内面における一方側及び他方側（図２に示す例では上側及び下側）に配置されており、スライドプレート１０１同士が互いに遠近する方向（図２中上下方向）に移動可能に設けられている。なお、スライドプレート１０１が特許請求の範囲に記載の挟持部材の一例に相当する。
【００１５】
具体的には、スライドプレート１０１は支持部材１０２の一方側端部に固定されており、この支持部材１０２が開閉扉４の内面に固定されたガイド１０３に対し摺動可能に設けられている。支持部材１０２の他方側にはラックギア部１０４が設けられており、操作部材１２０と開閉扉４を挟んで一体的に構成された歯車部材１２１（図３参照）と噛合している。また支持部材１０２の他方側端部には、スライド側バネ固定部１０５が設けられている。このスライド側バネ固定部１０５と、開閉扉４の内面に設けられた扉側バネ固定部１０６との間には、バネ１０７が設けられている。このバネ１０７により、スライドプレート１０１は基準位置（図２（ａ）及び図２（ｂ）に示す位置）に戻るように常時付勢されている。なお、バネ１０７が、特許請求の範囲に記載の第１付勢手段の一例に相当する。
【００１６】
なお、上記基準位置は、スライドプレート１０１が当該基準位置に位置する状態で開閉扉４が開閉可能であるように、両方のスライドプレート１０１が開閉扉４の内面の面積内に収まる範囲で予め適宜の位置に設定されている。また、ポート３は筐体２の表面より奥まった位置に設けられており、開閉扉４を閉じた際に開閉扉４の内面とポート３との間のスペースにスライドプレート１０１を含む把持機構１００（但し操作部材１２０を除く）が収納可能となっている。
【００１７】
各スライドプレート１０１には、ＵＳＢメモリ５０の筐体部５２と接触する部分に、ゴムやエラストマー等で構成された弾性部材１０８が設けられている。この弾性部材１０８は、スライドプレート１０１と筐体部５２との滑りを防止する。また、本実施形態ではＵＳＢメモリ５０の筐体部５２はスライドプレート１０１と平行に接触する形状であるが、例えば筐体部の形状が、スライドプレート１０１に対し傾斜していたり、あるいは凹凸があるような場合でも、弾性部材１０８が弾性変形することにより筐体部を確実に挟持することができる。したがって、弾性部材１０８により、多種多様な形状を有するＵＳＢデバイスを挟持することが可能となるので、汎用性が向上する。
【００１８】
また開閉扉４の内面には、歯車部材１２１を後側（図２（ａ）中右側、図２（ｂ）中紙面手前側）より覆うように押さえ板１０９が設けられており、この押さえ板１０９と歯車部材１２１との間に押さえバネ１１０が設けられている。押さえバネ１１０は、一体的に構成された操作部材１２０及び歯車部材１２１を、開閉扉４の外面側に常時付勢している。
【００１９】
次に、図３を参照しつつ、操作部材１２０の操作とスライドプレート１０１の動作との関係について説明する。なお、この図３では説明の便宜のため押さえ板１０９及び押さえバネ１１０の図示を省略している。
【００２０】
図３（ａ）は、スライドプレート１０１が基準位置に位置する状態を示している。この状態から、操作者が（開閉扉４を外側から見て）操作部材１２０を反時計回り方向に回すと、図３（ｂ）の矢印Ａ１に示すように（開閉扉４を内側から見て）歯車部材１２１は時計回り方向に回転する。これにより、図３（ｂ）に示すように支持部材１０２がバネ１０７の圧縮しようとする力に抗してガイド１０３に沿って摺動し、スライドプレート１０１，１０１が互いに近づく方向に移動してスライドプレート１０１間の間隔が狭まる。一方、操作者が（開閉扉４を外側から見て）操作部材１２０を時計回り方向に回すと、図３（ｃ）の矢印Ａ２に示すように（開閉扉４を内側から見て）歯車部材１２１は反時計回り方向に回転する。これにより、図３（ｃ）に示すように支持部材１０２がバネ１０７の伸長しようとする力に抗してガイド１０３に沿って摺動し、スライドプレート１０１，１０１が互いに遠ざかる方向に移動してスライドプレート１０１間の間隔が広くなる。
【００２１】
図３（ｃ）に示すように、スライドプレート１０１，１０１は開閉扉４の内面の面積範囲を超えて広範な範囲で動作することが可能である。これは、把持機構１００を開閉扉４に設けているので、開閉扉４の開放により把持機構１００が制御装置１の筐体外部に移動し、スライドプレート１０１の動作が制御装置１の筐体形状等によって制約されないからである。例えば、同様の構造の把持機構を筐体のポートが形成された凹部内に設ける構成を考えた場合、スライドプレートの動作範囲は凹部の大きさに限定される。したがって、本実施形態はこのような構成に比べてスライドプレート１０１の動作範囲を大きく拡張することができ、極めて優位である。その結果、多種多様な大きさ、形状を有するＵＳＢデバイスを把持することが可能となり、汎用性を向上できる。
【００２２】
次に、図４乃至図６を参照しつつ、把持機構１００のブレーキ機能について説明する。ここで言うブレーキ機能とは、上述したようにスライドプレート１０１はバネ１０７により常時基準位置に戻るように付勢されているため、当該付勢力に抗し、スライドプレート１０１がＵＳＢメモリ５０の筐体部５２を挟持した際に当該挟持位置に停止させる機能である。なお、図５では説明の便宜のため、押さえ板１０９、押さえバネ１１０及び歯車部材１２１の図示を省略している。
【００２３】
図４及び図６に示すように、歯車部材１２１は、外周にラックギア部１０４と噛合する歯が形成された歯車部１２２、歯車部１２２と操作部材１２１とを一定距離を確保しつつ接続する胴部１２３、及び軸部１２４を有している。歯車１２２及び胴部１２３は、軸部１２４に対し同軸となるように配置されている。図６に示すように、歯車部材１２１の軸部１２４が操作部材１２０に挿入されることで、操作部材１２０と歯車部材１２１とは連結されて一体的に構成されている。歯車部１２２の操作部材１２０側の端面１２５には、半球状の突起１２６が形成されている。なお、図６に示すように、本実施形態では歯車部材１２１の歯車部１２２、胴部１２３及び軸部１２４を一体成型としているが、これらを別部品として連結してもよい。
【００２４】
一方、図５に示すように、開閉扉４には、歯車部材１２１の胴部１２３が貫通する貫通孔１２７が形成されている。この貫通孔１２７の内径は、歯車部材１２１の胴部１２３の外径とほぼ等しくなっている。貫通孔１２７の径方向周囲部分は、開閉扉４の他の部分よりも肉薄に形成されており、当該部分が歯車部材１２１の胴部１２３を回転且つ直動可能に摺動支持する軸受１２８として機能する。軸受１２８の扉内面側の端面１２９には、歯車部材１２１の突起１２６が係合可能な複数の丸穴１３０が形成されている。この丸穴１３０は、所定のピッチで円周上に配置されている。
【００２５】
図６に示すように、一体的に構成された操作部材１２０及び歯車部材１２１は、押さえバネ１１０により開閉扉４の外面側（図６中左側）に常時付勢されている。これにより、歯車部材１２１の端面１２５と軸受１２８の端面１２９とが接触し、突起１２６がいずれかの丸穴１３０に係合する。歯車部材１２１は突起１２６の係合により回転を規制されるので、歯車部材１２１の歯車部１２２とラックギア部１０４で噛合した支持部材１０２の移動も規制される。このようにして、スライドプレート１０１にブレーキが作用する。
【００２６】
操作部材１２０が回転操作されると、歯車部材１２１の突起１２６が丸穴１３０を乗り越えながら端面１２９上を移動する。すなわち、操作部材１２０は、突起１２６と丸穴１３０との間に作用する摩擦力より大きな操作力で回転操作される。このとき、突起１２６が隣り合う丸穴１３０，１３０の間で停止しないように、丸穴１３０のピッチは小さめに設定されている。これにより、操作部材１２０が操作されていない状態では、歯車部材１２１の突起１２６はいずれかの丸穴１３０に係合するようになっており、その結果、操作部材１２０が操作されていない状態では、後述するブレーキの解除操作が行われない限り、スライドプレート１０１には常にブレーキが作用した状態となっている。
【００２７】
なお、上記構成により、スライドプレート１０１の最小移動量は、円周上に形成された丸穴１３０のピッチ分となる。このため、挟持位置（上記最小移動量単位で移動しつつ、ＵＳＢメモリ５０の筐体部５２の幅に最も対応した位置）に位置するスライドプレート１０１同士の間隔と、ＵＳＢメモリ５０の筐体部５２の幅との間に寸法差が生じる可能性があるが、前述したようにスライドプレート１０１には弾性部材１０８が設けられており、この弾性部材１０８が弾性変形することにより当該寸法差を許容できるので、スライドプレート１０１で筐体部５２に接触しつつ確実に挟持することができる。
【００２８】
上記において、押さえバネ１１０、突起１２６、丸穴１３０、歯車部１２２及びラックギア部１０４が、特許請求の範囲に記載の位置固定手段の一例に相当する。
【００２９】
次に、図７及び図８を参照しつつ、把持機構１００のブレーキ解除機能について説明する。なお、図８（ａ）はブレーキが作用している状態、図８（ｂ）はブレーキを解除した状態を示している。
【００３０】
図７に示すように、スライドプレート１０１及び弾性部材１０８を一方側端部（図７中上端部）に固定した支持部材１０２の他方側（図７中下方側）には、ラックギア部１０４が設けられている。このラックギア部１０４は、支持部材１０２の厚み方向（図７中左右方向）の全域に亘って設けられているのではなく、厚み方向の略半分の領域について設けられており、残りの領域は歯が形成されていない平坦部１３１となっている。
【００３１】
図８（ａ）に示すように、通常の状態では、歯車部材１２１が押さえバネ１１０により開閉扉４の外面側（図８中左側）に付勢され、歯車部材１２１の突起１２６が開閉扉４の丸穴１３０に係合する。歯車部材１２１は突起１２６の係合により回転を規制されるので、歯車部材１２１の歯車部１２２とラックギア部１０４で噛合した支持部材１０２の移動も規制される。このようにして、スライドプレート１０１にはブレーキが作用した状態となっている。
【００３２】
一方、図８（ｂ）に示すように、操作部材１２０が開閉扉４の内面側（図８中右側）に押し込まれると、歯車部材１２１の歯車部１２２が平坦部１３１の領域に移動する。これにより、ラックギア部１０４と歯車部１２２との噛合が解除されるため、支持部材１０２がバネ１０７の付勢力により移動し、スライドプレート１０１が基準位置に戻る。このようにして、スライドプレート１０１のブレーキが解除される。
【００３３】
なお、このようなブレーキの解除は、例えば筐体部５２の幅がスライドプレート１０１の基準幅よりも小さいＵＳＢメモリ５０を取り外す際に行われるが（後述の図１０参照）、このようにブレーキを解除して行う他に、操作部材１２０を時計回りに回転操作してスライドプレート１０１，１０１の間隔を広げることにより、ＵＳＢメモリ５０を取り外してもよい。
【００３４】
なお、開閉扉４における軸受１２８の扉外面側（図８中左側）には、上記操作部材１２０の押し込みを可能にするための押し込みスペース１３２が確保されている。また、前述の押さえ板１０９の中央部には、操作部材１２０を押し込んだ際に歯車部材１２１の軸部１２４を受け入れるための開口１３３が形成されている。
【００３５】
上記において、操作部材１２０、押し込みスペース１３２及び平坦部１３１が、特許請求の範囲に記載の固定解除手段の一例に相当する。
【００３６】
次に、図９を参照しつつ、メッキ処理を施した範囲について説明する。制御装置１においては、ポート３が発信源となり装置外部にノイズを放射したり、あるいはポート３がノイズの受信源となって誤動作を生じる可能性がある。そこで本実施形態においては、図９（ａ）に示すように、ポート３を囲むようにその周囲にメッキ処理が施されたメッキ部５が形成されると共に（図中にメッキ部５の範囲を斜線で示す）、図９（ｂ）に示すように、開閉扉４の内面のほぼ全域にメッキ処理が施されたメッキ部６が形成されている（図中にメッキ部６の範囲を斜線で示す）。
【００３７】
メッキ材としては、銅やニッケル等の導電材が用いられる。メッキ部５，６は、共に筐体２のフレームグランド（図示省略）と接地されている。なお、開閉扉４の内面においては、メッキ部６上にスライドプレート１０１等からなる把持機構１００が設けられている。
【００３８】
開閉扉４が開放されてＵＳＢメモリ５０が装着された状態においては、主にポート３の周囲に形成されたメッキ部５によって上記ノイズの発信・受信を防止できる。一方、ＵＳＢメモリ５０が取り外され開閉扉４が閉鎖された状態においては、主に開閉扉４の内面に形成されたメッキ部６によって上記ノイズの発信・受信を防止できる。
【００３９】
次に、図１０及び図１１を参照しつつ、ＵＳＢメモリ５０を着脱する際の操作方法について説明する。なおここでは、スライドプレート１０１が前述した基準位置に位置する場合における弾性部材１０８同士の間隔を「基準幅」と呼称して説明する。
【００４０】
まず図１０を参照して、ＵＳＢメモリの筐体部の幅がスライドプレートの基準幅よりも小さい場合について説明する。図１０（ａ）に示すように、ＵＳＢメモリ５０の筐体部５２の幅ＷＳがスライドプレート１０１の基準幅Ｗｏより小さい場合には、操作者は開閉扉４を開放し、そのままＵＳＢメモリ５０のコネクタ部５１をポート３に挿入して、ＵＳＢメモリ５０を制御装置１に装着する。これにより、ＵＳＢメモリ５０は筐体部５２をスライドプレート１０１，１０１間に挿通しつつ、片持ち梁状に支持された状態となる。
【００４１】
次に図１０（ｂ）に示すように、操作者が操作部材１２０を矢印Ａ３に示すように反時計回り方向に回転操作させると、前述の図３（ｂ）に示すように歯車部材１２１が（開閉扉４を内側から見て）時計回り方向に回転し、支持部材１０２がバネ１０７の圧縮しようとする力に抗してガイド１０３に沿って摺動し、スライドプレート１０１，１０１が互いに近づく方向に移動する。
【００４２】
弾性部材１０８が筐体５２に接触する位置まで移動すると、図１０（ｃ）に示すように、ＵＳＢメモリ５０の筐体部５２がスライドプレート１０１により挟持される。これにより、ＵＳＢメモリ５０の装着が完了し、装着した状態が高い保持力で保持される。
【００４３】
ＵＳＢメモリ５０を取り外す際には、操作者は操作部材１２０を上記と反対に時計回りに回転操作することによりスライドプレート１０１，１０１を広げてもよいが、簡単に行うには、操作部材１２０を押し込めばよい。これにより、前述したようにスライドプレート１０１のブレーキが解除され、スライドプレート１０１は自動的に基準位置に戻る。その後、ＵＳＢメモリ５０のコネクタ部５１をポート３より引き抜くことで、ＵＳＢメモリ５０を制御装置１から取り外すことができる。
【００４４】
次に、図１１を参照して、ＵＳＢメモリの筐体部の幅がスライドプレートの基準幅よりも大きい場合について説明する。図１１（ａ）に示すように、ＵＳＢメモリ５０の筐体部５２の幅ＷＬがスライドプレート１０１の基準幅Ｗｏより大きい場合には、そのままではＵＳＢメモリ５０を制御装置１に装着できない。
【００４５】
そこで、図１１（ｂ）に示すように、操作者は開閉扉４を開放した状態で、操作部材１２０を矢印Ａ４に示すように時計回り方向に回転操作させる。これにより、前述の図３（ｃ）に示すように歯車部材１２１が（開閉扉４を内側から見て）反時計回り方向に回転し、支持部材１０２がバネ１０７の伸長しようとする力に抗してガイド１０３に沿って摺動し、スライドプレート１０１，１０１が互いに遠ざかる方向に移動する。
【００４６】
図１１（ｃ）に示すように、スライドプレート１０１，１０１の幅Ｗ（正確には弾性部材１０８，１０８の間隔）が筐体５２の幅ＷＬより大きくなる位置まで移動すると、操作者はＵＳＢメモリ５０のコネクタ部５１をポート３に挿入して、ＵＳＢメモリ５０を制御装置１に装着する。これにより、ＵＳＢメモリ５０は筐体部５２をスライドプレート１０１，１０１間に挿通しつつ、片持ち梁状に支持された状態となる。
【００４７】
次に図１１（ｄ）に示すように、操作者が操作部材１２０を矢印Ａ５に示すように反時計回り方向に回転操作させると、前述の図３（ｂ）に示すように歯車部材１２１が（開閉扉４を内側から見て）時計回り方向に回転し、支持部材１０２がバネ１０７の圧縮しようとする力に抗してガイド１０３に沿って摺動し、スライドプレート１０１，１０１が互いに近づく方向に移動する。
【００４８】
弾性部材１０８が筐体５２に接触する位置まで移動すると、図１１（ｅ）に示すように、ＵＳＢメモリ５０の筐体部５２がスライドプレート１０１により挟持される。これにより、ＵＳＢメモリ５０の装着が完了し、装着した状態が高い保持力で保持される。
【００４９】
ＵＳＢメモリ５０を取り外す際には、操作者は操作部材１２０を上記と反対に時計回りに回転操作することによりスライドプレート１０１，１０１を広げる。その後、ＵＳＢメモリ５０のコネクタ部５１をポート３より引き抜くことで、ＵＳＢメモリ５０を制御装置１から取り外すことができる。なお、この状態では図１１（ｃ）に示すようにスライドプレート１０１が開閉扉４より突出しているため、開閉扉４を閉鎖することができないが、操作部材１２０を押し込むことで、スライドプレート１０１は自動的に基準位置に戻るので、その後開閉扉４を閉鎖することができる。
【００５０】
以上説明した本実施形態の制御装置１においては、ＵＳＢメモリ５０のコネクタ部５１をポート３に挿入することでＵＳＢメモリ５０が制御装置１に装着され、コネクタ部５１をポート３より引き抜くことでＵＳＢメモリ５０が制御装置１より取り外される。制御装置１のポート３近傍には開閉扉４が設けられており、ＵＳＢメモリ５０の非装着時には閉鎖されてポート３を遮蔽しており、ＵＳＢメモリ５０の装着時には開放されてポート３を露出する。
【００５１】
そして、開閉扉４には把持機構１００が設けられている。この把持機構１００が、装着されたＵＳＢメモリ５０の筐体部５２を把持することにより、ＵＳＢメモリ５０のコネクタ部５１がポート３より引き抜かれるのを防止でき、ＵＳＢメモリ５０の装着状態を高い保持力で保持することができる。また、把持機構１００を開閉扉４に設けているので、開閉扉４の開放により把持機構１００が制御装置１の筐体２の外部に移動し、把持機構１００による把持動作が制御装置１の筐体形状等によって制約されない構造となっている。これにより、多種多様な大きさ、形状を有するＵＳＢメモリ５０の筐体部５２を把持することが可能となり、汎用性を向上できる。また、ＵＳＢメモリ５０の非装着時に開閉扉４を閉鎖してポート３を遮蔽することによって、ポート３の電気的な短絡や通信障害等の要因となる粉塵等がポート３に付着するのを防止することができる。
【００５２】
また、本実施形態では特に、把持機構１００がＵＳＢメモリ５０の筐体部５２を挟み込む２つのスライドプレート１０１を開閉扉４の内面に有している。このスライドプレート１０１は、開閉扉４の一方側及び他方側に配置されたスライドプレート１０１同士が、互いに遠近する方向に移動可能に構成されている。これにより、筐体部５２が幅広のＵＳＢメモリ５０が装着された場合には、スライドプレート１０１同士が互いに遠ざかるように移動して間隔を広げることにより、筐体部５２を挟み込むことができる。一方、筐体部５２が幅狭のＵＳＢメモリ５０が装着された場合には、スライドプレート１０１同士が互いに近づくように移動して間隔を狭めることにより、筐体部５２を挟み込むことができる。このようにして、多種多様な大きさ、形状を有するＵＳＢメモリ５０の筐体部５２を挟持することができるので、汎用性を向上することができる。また、スライドプレート１０１を開閉扉４の内面に設けているので、ＵＳＢメモリ５０の非装着時に開閉扉４を閉鎖すればスライドプレート１０１が外部に露出することがなく、制御装置１の外観性を低下させることがない。
【００５３】
また、本実施形態では特に、把持機構１００が、スライドプレート１０１同士の遠近方向の移動を操作するための操作部材１２０を開閉扉４の外面に有している。これにより、操作者は操作部材１２０を用いて容易にスライドプレート１０１を移動させることができる。したがって、ＵＳＢメモリ５０を着脱する際の操作性を向上することができる。
【００５４】
また、本実施形態では特に、スライドプレート１０１，１０１は、遠近方向に移動しつつ間隔を調整され、ＵＳＢメモリ５０の筐体部５２の大きさに対応した挟持位置で、筐体部５２を挟み込んで支持する。このとき、歯車部材１２１の突起１２６と開閉扉４の丸穴１３０とが係合することによるブレーキ機能によって、スライドプレート１０１の位置が挟持位置に固定されることにより、例えば振動や衝撃等によってスライドプレート１０１が挟持位置より移動してしまうのを防ぐことができ、ＵＳＢメモリ５０の保持機能を高めることができる。また、スライドプレート１０１はバネ１０７により常時基準位置に戻るように付勢されているが、ブレーキ機能によりスライドプレート１０１を挟持位置に停止させることができる。
【００５５】
また、本実施形態では特に、操作者が操作部材１２０を押し込むことにより、支持部材１０２のラックギア部１０４と歯車部材１２１の歯車部１２２との噛合が解除され、スライドプレート１０１のブレーキが解除される。ブレーキが解除されると、スライドプレート１０１はバネ１０７の付勢力により基準位置に戻される。これにより、ＵＳＢメモリ５０が取り外されて開閉扉４を閉鎖する際に、移動されたスライドプレート１０１を容易且つ迅速に基準位置に戻すことができる。したがって、開閉扉４の閉鎖時にスライドプレート１０１を基準位置に戻す手間を大幅に軽減することができる。
【００５６】
また、本実施形態では特に、スライドプレート１０１におけるＵＳＢメモリ５０の筐体部５２との接触部に弾性部材１０８を設ける。これにより、スライドプレート１０１と筐体部５２との滑りを防止できるので、ＵＳＢメモリ５０の保持機能をさらに高めることができる。また、ＵＳＢメモリ５０の筐体部５２の形状が、例えばスライドプレート１０１に対し傾斜していたり、あるいは凹凸があるような場合でも、弾性部材１０８が弾性変形することにより筐体部５２を確実に挟持することができる。したがって、多種多様な形状を有するＵＳＢメモリ５０の筐体部５２を挟持することが可能となり、汎用性をさらに向上することができる。さらに、本実施形態ではスライドプレート１０１が丸穴１３０のピッチ分に応じて段階的に移動するので、挟持位置としたスライドプレート１０１同士の間隔とＵＳＢメモリ５０の筐体部の幅とが一致しない場合が考えられる。このような場合に、スライドプレート１０１に設けた弾性部材１０８が筐体部５２と接触して弾性変形することにより、寸法差を許容し、筐体部５２を確実に挟持することができる。
【００５７】
また、本実施形態では特に、開閉扉４の内面に導電材でメッキ処理を施すことにより、ＵＳＢメモリ５０の非装着時に開閉扉４が閉鎖された状態において、ポート３が発信源となり制御装置１の外部にノイズを放射したり、あるいはポート３がノイズの受信源となって制御装置１に誤動作を生じることを防止できる。またポート３の周囲にもメッキ処理を施すことにより、開閉扉４が開放されてＵＳＢメモリ５０が装着された状態においても、上記ノイズの発信・受信を防止できる。
【００５８】
＜第２実施形態＞
次に、図１２乃至図１７を参照しつつ、第２実施形態について説明する。第２実施形態は、前述の第１実施形態と同様に、装着されたＵＳＢメモリ５０の筐体部５２を把持することで高い保持力で装着状態を保持するものであるが、第１実施形態とは把持機構の構成が異なるものである。
【００５９】
まず、図１２を参照しつつ、第２実施形態に係る制御装置の外観構成について説明する。図１２に示すように、制御装置１１の筐体１２の一方側（図１２中左下側）の面には、ＵＳＢメモリ５０のコネクタ部５１が挿入されるポート１３が設けられている。以下、このポート１３の設置側を制御装置１１の前側として説明する。ポート１３の前側近傍には、片側をヒンジ構造とした開閉扉１４が開閉可能に設けられている。開閉扉１４は、開放時には図１２（ｂ）に示すようにポート１３を露出し、閉鎖時には図１２（ａ）に示すようにポート１３を遮蔽する。開閉扉１４には、図１２（ｃ）に示すように開放時にＵＳＢメモリ５０の筐体部５２を把持する把持機構２００が設けられている。この把持機構２００は、図１２（ａ）に示すように、挟持部材２０１の移動を操作するための押しボタン２２０を開閉扉１４の外面に有している。
【００６０】
次に、図１３乃至図１５を参照しつつ、把持機構２００の詳細構造について説明する。図１３に示すように、把持機構２００は、ＵＳＢメモリ５０の筐体部５２を両側より挟み込んで支持するための２つの挟持部材２０１，２０１を有している。２つの挟持部材２０１，２０１は、開閉扉１４の内面における一方側及び他方側（この例では上側及び下側）に配置されており、図１５に示すように、挟持部材２０１同士が互いに遠近する方向（図１５中上下方向）に移動可能に設けられている。
【００６１】
具体的には、各挟持部材２０１はアーム部材２０２の先端に設けられている。各アーム部材２０２は、略くの字状に湾曲した形状となっており、挟持部材２０１がＵＳＢメモリ５０の筐体部５２を挟持した際に当該筐体部５２の角部に接触しないように図られている。各アーム部材２０２は、開閉扉１４の内面の上側及び下側に設けられた軸２０３周りに回動可能に設けられている。軸２０３は、当該軸２０３より大径の軸支持部２０４を介して開閉扉１４に設けられている。本実施形態では、図１４に示すように開閉扉１４が側壁部１４ａ，１４ｂを有する上面視略コの字状に形成されており、軸２０３の両端が軸支持部２０４を介して側壁部１４ａ，１４ｂに支持されている。
【００６２】
図１３（ｂ）に示すように、軸２０３には、一端側がアーム部材２０２に固定され、他端側が軸２０３に固定された、ねじりコイルバネ２０５が設けられている。このねじりコイルバネ２０５は、挟持部材２０１同士が近づく方向（図１５中矢印Ｘ方向）にアーム部材２０２を回動させるように、当該アーム部材２０２を常時付勢する。このコイルバネ２０５の付勢力により、押しボタン２２０が押されていない状態では、図１３及び図１４に示すように、アーム部材２０２及び挟持部材２０１は、開閉扉１４内（側壁部１４ａ，１４ｂの間の空間内）に収納されている。なお、ねじりコイルバネ２０５が、特許請求の範囲に記載の第２付勢手段の一例に相当する。また、図１４ではねじりコイルバネ２０５の図示を省略している。
【００６３】
図１４に、開閉扉１４の開閉動作を示す。開閉扉１４は、側壁部１４ａの後方側（図１４中上側）に設けた軸１４ｃを回転軸として筐体１２に対し回転可能に設けられている。図１４（ａ）に示すように、開閉扉１４が閉鎖された状態では、側壁部１４ａ，１４ｂを含む開閉扉１４全体が把持機構２００と共に筐体１２の凹部１２ａ内に収納されている。そして、図１４（ｂ）に示すように開閉扉１４を回転させ、図１４（ｃ）に示すように開閉扉１４を軸１４ｃを周りに略９０度回転させると、開放扉１４は開放された状態となり、ポート１３が露出される。図１４（ｃ）に示すように、開放扉１４の開放時には、側壁部１４ｂが把持機構２００の前方側を覆うカバーとして機能する。これにより、ＵＳＢメモリ５０や操作者の手指が把持機構２００へ接触するのを防止して把持機構２００を保護できると共に、扉開放時の制御装置１１の外観性を損なわないようにすることができる。
【００６４】
図１３（ａ）に示すように、開閉扉１４の外側に設けられた押しボタン２２０は、開閉扉１４を貫通して設けられた軸２２１を介し、開閉扉１４の内側に設けられた長方形状の押圧板２２２と連結されている。押圧板２２２の長手方向両端部は、開閉扉１４の上側及び下側に設けられたアーム部材２０２の突起２０２ａにそれぞれ接触している。図１５に示すように、押しボタン２２０が開閉扉１４側に押し込まれると、軸２２１及び押圧板２２２が移動されて突起２０２ａが押され、各アーム部材２０２は、ねじりコイルバネ２０５による付勢力に抗して、挟持部材２０１同士が遠ざかる方向（図１５中矢印Ｙ方向）に回動する。
【００６５】
一方、図１３（ａ）に示すように、軸２２１には押しボタン２２０を開閉扉１４とは反対側に押し戻すように常時付勢するコイルバネ２２３が設けられている。押しボタン２２０の押し込みが停止されると、コイルバネ２２３の付勢力によって押しボタン２２０、軸２２１及び押圧板２２２が押し込み前の位置に戻る。その結果、図１５に示すように、各アーム部材２０２は、ねじりコイルバネ２０５による付勢力により、挟持部材２０１同士が近づく方向（図１５中矢印Ｘ方向）に回動する。なお、押しボタン２２０が特許請求の範囲に記載の操作部材の一例に相当する。また、図１４及び図１５では、コイルバネ２２３の図示を省略している。
【００６６】
以上のような把持機構２００の構成により、図１５に示すように、押しボタン２２０の操作（押し込み及び押し込み停止）により、各アーム部材２０２がＹ方向及びＸ方向に回動し、挟持部材２０１，２０１の間隔がＧ１〜Ｇ２となる範囲において挟持部材２０１同士が互いに遠近する方向に移動する。
【００６７】
挟持部材２０１は、略円柱形状に形成されており、挟持部材２０１全体がゴムやエラストマー等の弾性材料で構成されている。挟持部材２０１の円柱形状の外周面をＵＳＢメモリ５０の筐体部５２に接触させる構成とすることで、アーム部材２０２の回動により挟持部材２０１の角度が変わっても、挟持部材２０１を筐体部５２に一様に接触させることができる。また、挟持部材２０１全体を弾性材料で構成することで、外周面のどの部分が筐体部５２と接触する場合でも弾性材料を接触させることができ、挟持部材２０１と筐体部５２との滑りを防止できる。また、例えば筐体部５２の形状が、挟持部材２０１に対し傾斜していたり、あるいは凹凸があるような場合でも、挟持部材２０１が弾性変形することにより筐体部を確実に挟持することができる。したがって、挟持部材２０１により、多種多様な形状を有するＵＳＢデバイスを挟持することが可能となるので、汎用性が向上する。
【００６８】
なお、挟持部材２０１全体を弾性材料で構成するのではなく、挟持部材２０１の一部（例えば外周面のみ）を弾性材料で構成してもよい。
【００６９】
なお、特に図示はしないが、本実施形態の制御装置１１においても、前述の第１実施形態と同様に、ポート１３を囲むようにその周囲にメッキ処理が施されており、開閉扉１４の内面のほぼ全域にメッキ処理が施されている。
【００７０】
次に、図１６を参照しつつ、ＵＳＢメモリ５０を着脱する際の操作方法について説明する。
【００７１】
前述したように、押しボタン２２０が押し込まれていない状態では、アーム部材２０２及び挟持部材２０１は、開閉扉１４内に収納されている（図１３（ａ）に示す状態）。この状態から、図１６（ａ）に示すように、操作者が押しボタン２２０を開閉扉１４側に押し込むことにより、各アーム部材２０２が回動し、挟持部材２０１同士が互いに遠ざかる方向に移動する。この際、挟持部材２０１，２０１の間隔がＵＳＢメモリ５０の筐体５２より大きくなるように、押しボタン２２０を押し込む。
【００７２】
次に、図１６（ｂ）に示すように、操作者はＵＳＢメモリ５０のコネクタ部５１をポート３に挿入して、ＵＳＢメモリ５０を制御装置１に装着する。これにより、ＵＳＢメモリ５０は筐体部５２を挟持部材２０１，２０１間に挿通しつつ、片持ち梁状に支持された状態となる。
【００７３】
次に図１６（ｃ）に示すように、操作者が押しボタン２２０の押し込みを止めると、押しボタン２２０、軸２２１及び押圧板２２２がコイルバネ２２３により押し込み前の位置に戻り、各アーム部材２０２はねじりコイルバネ２０５により挟持部材２０１同士が近づく方向に回動する。これにより、挟持部材２０１が筐体５２に接触すると、ＵＳＢメモリ５０の筐体部５２が挟持部材２０１により挟持される。このようにして、ＵＳＢメモリ５０の装着が完了し、装着した状態が高い保持力で保持される。
【００７４】
なお、ＵＳＢメモリ５０を取り外す際には、上述と反対の手順で操作を行えばよい。すなわち、操作者は押しボタン２２０を再度押し込むことにより挟持部材２０１を離間させる。その後、ＵＳＢメモリ５０のコネクタ部５１をポート３より引き抜くことで、ＵＳＢメモリ５０を制御装置１１から取り外すことができる。
【００７５】
以上説明した本実施形態の制御装置１１においては、前述の第１実施形態と同様に、把持機構２００が、装着されたＵＳＢメモリ５０の筐体部５２を把持することにより、ＵＳＢメモリ５０のコネクタ部５１がポート３より引き抜かれるのを防止でき、ＵＳＢメモリ５０の装着状態を高い保持力で保持することができる。また、把持機構２００がギア構造等を有しないため、構造を単純化でき、部品点数を少なくすることができる。さらに、操作者は押しボタン２２０の押し込み操作のみを行えばよいため、ＵＳＢメモリ５０の着脱操作が極めて容易である。
【００７６】
さらに、各アーム部材２０２が別々のねじりコイルバネ２０５の付勢力により回動される構造上、各アーム部材２０２は独立して回動する。その結果、図１７に示すように、ＵＳＢメモリ５０のコネクタ部５１の中心線（ポート３の中心線）Ｌｏを中心とする筐体部５２の上下方向寸法ｈ１，ｈ２が互いに異なるＵＳＢメモリ５０であっても、挟持部材２０１，２０１で挟持して保持することが可能である。このように、挟持部材２０１により上下方向に非対称な形状を有するＵＳＢデバイスについても挟持することが可能となるので、汎用性をさらに向上できる。
【００７７】
＜変形例＞
なお、上記第１及び第２実施形態に限られるものではなく、その趣旨及び技術的思想を逸脱しない範囲内で種々の変形が可能である。
【００７８】
例えば、上記各実施形態では、ＵＳＢデバイスの一例としてＵＳＢメモリを着脱する場合を説明したが、その他のＵＳＢデバイスを装着する場合にも適用できる。例えば、ハードディスクドライブ等の外部記憶装置、キーボードやマウス等の入力デバイス、ハブ等の通信デバイス、その他のＵＳＢでケーブル接続するデバイス、または、無線ＬＡＮ（Ｌｏｃａｌ  Ａｒｅａ  Ｎｅｔｗｏｒｋ）等の通信デバイス、無線マウスのインターフェース、その他のケーブルの無いデバイス等、多種多様なＵＳＢデバイスを装着する場合に適用できる。図１８及び図１９に、ＵＳＢケーブル７を装着した場合の制御装置１，１１の斜視図を示す。
【００７９】
また上記各実施形態では、制御装置１がＰＬＣ等のＦＡ機器である場合を説明したが、これに限らず、制御装置はパソコン等のＯＡ機器でもよい。さらには、必ずしも何らかの制御対象を制御する制御装置でなくともよく、上述したようなＵＳＢデバイスが装着される機器であれば、適用可能である。
【００８０】
また上記各実施形態では、開閉扉４，１４が装置の側方に開放し、ＵＳＢメモリ５０の筐体５２を上下方向から挟み込む場合を説明したが、これに限らず、例えば開閉扉が装置の上下方向に開放し、筐体５２を左右方向から挟み込む構成としてもよい。
【００８１】
また上記各実施形態では、操作部材１２０又は押しボタン２２０を用いて操作者が手動でスライドプレート１０１又は挟持部材２０１の移動を操作するようにしたが、これに限らず、モータを用いてスライドプレート１０１又は挟持部材２０１が自動で動作するようにしてもよい。
【００８２】
また上記第２実施形態では、押しボタン２２０が押されることによってアーム部材２０２，２０２が拡がる方向（挟持部材２０１同士が互いに遠ざかる方向）に回動するように、操作部材を押しボタンとして構成した場合を一例として説明したが、これに限らず、ボタンが引かれることによってアーム部材２０２，２０２が拡がる方向に回動するように、操作部材を引きボタンとして構成してもよい。この場合、操作者がボタンの引き込みを止めるとバネ力によりボタンが引き戻され、アーム部材２０２及び挟持部材２０１が開閉扉１４内に収納されるようにすればよい。
【００８３】
また上記第２実施形態では、開閉扉１４が側壁部１４ａ，１４ｂを有する略コの字状である場合を一例として説明したが、図２０に示すように、例えば開閉扉１４を略Ｌ字状（側壁部１４ｂを有しない構造）とし、軸２０３の一端のみを片持ち梁状に支持する構成としてもよい。この場合、軸１４ｃを、側壁部１４ａの前方側（図２０中下側）に設けることにより、図２０（ａ）〜（ｃ）に示すように、解放時に開閉扉１４が筐体１２の側方（図２０中左側）に突出するのを防止できる効果がある。なお、仮に略コの字状の開閉扉１４において軸１４ｃを側壁部１４ａの前方側に設けた場合、扉開閉時の側壁部１４ｂと凹部１２ａの内壁との干渉を防止するために凹部１２ａを大きくする必要があり、筐体１２の大型化を招く。したがって、本変形例のように開閉扉１４を略Ｌ字状とした上で軸１４ｃを側壁部１４ａの前方側に設けることで、筐体１２の大型化を招くことなく開閉扉１４の突出を防止できる。
【００８４】
以上既に述べた以外にも、上記各実施形態や各変形例による手法を適宜組み合わせて利用しても良い。その他、一々例示はしないが、その趣旨を逸脱しない範囲内において、種々の変更が加えられて実施されるものである。
【符号の説明】
【００８５】
１            制御装置
３            ポート
４            開閉扉
１１          制御装置
１４          開閉扉
５０          ＵＳＢメモリ（ＵＳＢデバイス）
５１          コネクタ部
５２          筐体部
１００        把持機構
１０１        スライドプレート（挟持部材）
１０４        ラックギア部（位置固定手段）
１０７        バネ（第１付勢手段）
１０８        弾性部材
１１０        押さえバネ（位置固定手段）
１２０        操作部材（固定解除手段）
１２２        歯車部（位置固定手段）
１２６        突起（位置固定手段）
１３０        丸穴（位置固定手段）
１３１        平坦部（固定解除手段）
１３２        押し込みスペース（固定解除手段）
２００        把持機構
２０１        挟持部材
２０３        軸
２０５        ねじりコイルバネ（第２付勢手段）
２２０        押しボタン（操作部材）
【図１】
2012060143.tif 000003
【図２】
2012060143.tif 000004
【図３】
2012060143.tif 000005
【図４】
2012060143.tif 000006
【図５】
2012060143.tif 000007
【図６】
2012060143.tif 000008
【図７】
2012060143.tif 000009
【図８】
2012060143.tif 000010
【図９】
2012060143.tif 000011
【図１０】
2012060143.tif 000012
【図１１】
2012060143.tif 000013
【図１２】
2012060143.tif 000014
【図１３】
2012060143.tif 000015
【図１４】
2012060143.tif 000016
【図１５】
2012060143.tif 000017
【図１６】
2012060143.tif 000018
【図１７】
2012060143.tif 000019
【図１８】
2012060143.tif 000020
【図１９】
2012060143.tif 000021
【図２０】
2012060143.tif 000022
【国際調査報告】
2012060143.tif 000023
2012060143.tif 000024
2012060143.tif 000025
2012060143.tif 000026